(57)【要約】【課題】撮影した映像に対してそれぞれ印刷、表示、通信の実行中であっても自由に使用可能なデジタルカメラ及び，マルチ画面印刷を実施した場合に映像の縦の方向が統一される様に印刷され、焼き増し印刷を実施する際に印刷後の仕分け作業を楽に実現できるプリントシステムを実現すること。【解決手段】デジタルスチルカメラのフラッシュメモリカード１０３に映像情報と共に印刷処理、表示処理、通信処理を制御するための管理ファイルを作成する。【選択図】図１
2004350301.tif 000002
【特許請求の範囲】
【請求項１】
映像情報と前記映像情報の回転に関する回転情報とが格納されたメモリーを読み取る読み取り手段と、
前記メモリーから回転情報を読出して解析する解析手段と、
前記映像情報を同じ印刷面に印刷するマルチプリント手段と、
前記同じ印刷面に印刷すべき前記映像情報数を指定する枚数指定手段と、
前記解析手段が解析した回転情報、および前記指定された映像情報数を参照して、複数の映像情報を同じ印刷面にマルチプリントする制御手段とを有するプリント装置。
【請求項２】
映像情報と前記映像情報の回転に関する回転情報とが格納されたメモリーを読み取る読み取り手段と、
前記メモリーから回転情報を読出して解析する解析手段と、
複数の映像情報を同じ印刷面に印刷するマルチプリント手段と、
前記同じ印刷面に印刷すべき前記映像情報数を指定する枚数指定手段と、
前記解析手段が解析した回転情報、および前記指定された映像情報数を参照して、回転角度が同じ映像情報を同じ印刷面にマルチプリントする制御手段とを有するプリント装置。
【発明の詳細な説明】
【技術分野】
【０００１】
本発明は、プリント装置に関する。
【背景技術】
【０００２】
図１２は従来のデジタルカメラとビデオプリンタの構成である。デジタルカメラで撮影した映像をパソコンを介さずに印刷する時には、まず、デジタルカメラとビデオプリンタをビデオケーブルで接続し、デジタルカメラのビデオ出力に印刷したい映像の信号が出力されるように表示送りキーを操作する。出力されたら、ビデオプリンタ側の取り込みキーを押し、映像信号をキャプチャする。これを繰り返して２枚分の映像信号のキャプチャが完了したら、２画面マルチ印刷キーを押せば、２つの映像が１枚に印刷される。
図１３は従来のデジタルカメラと家庭用テレビの構成である。デジタルカメラとビデオプリンタはビデオケーブルで接続される。デジタルカメラの表示送りキーを操作することによって家庭用テレビに映し出される映像を切替えることができる。
【０００３】
図１４は従来のデジタルカメラと携帯電話とモデムの構成である。デジタルカメラと携帯電話はRS232Cインタフェースで接続される。デジタルカメラはATコマンドを使ったモデム操作によって通信を確立した後、選択した映像の送信を実施する。
【特許文献１】特開平５−１４５８８２号公報
【発明の開示】
【発明が解決しようとする課題】
【０００４】
図１２、１３、１４の構成では、操作中はデジタルカメラを使用できなくなるという問題点があった。
【０００５】
また、図１２の構成で２画面マルチ印刷を実施した場合、カメラを横に構えて撮った映像と縦に撮った映像を混在させないように印刷させるには大変な面倒な作業が必要だった。
【０００６】
また、図１２の構成で焼き増し作業を行なう場合の様に複数人からの印刷の依頼があった場合、必要枚数分の印刷の後、注文者別に仕分け作業が大変となるという問題点があった。
【０００７】
そこで、本発明は、撮影した映像に対して印刷、表示、通信の実行中であってもデジタルカメラを自由に使用可能にすることを目的とする。
【０００８】
また、マルチ画面印刷を実施した場合に映像の縦の方向が統一される様に印刷されることを目的とする。
【０００９】
また、焼き増し印刷を実施する際に、印刷後の仕分け作業を楽にすることを目的とする。
【課題を解決するための手段】
【００１０】
本発明の内で第１の観点の発明は、映像情報と前記映像情報の回転に関する回転情報とが格納されたメモリーを読み取る読み取り手段と、前記メモリーから回転情報を読出して解析する解析手段と、前記映像情報を同じ印刷面に印刷するマルチプリント手段と、前記同じ印刷面に印刷すべき前記映像情報数を指定する枚数指定手段と、前記解析手段が解析した回転情報、および前記指定された映像情報数に従って、複数の映像情報を同じ印刷面にマルチプリントする制御手段とを有するプリント装置である。
【００１１】
本発明の内で第２の観点の発明は、映像情報と前記映像情報の回転に関する回転情報とが格納されたメモリーを読み取る読み取り手段と、前記メモリーから回転情報を読出して解析する解析手段と、複数の映像情報を同じ印刷面に印刷するマルチプリント手段と、
前記同じ印刷面に印刷すべき前記映像情報数を指定する枚数指定手段と、前記解析手段が解析した回転情報、および前記指定された映像情報数に従って、回転角度が同じ映像情報を同じ印刷面にマルチプリントする制御手段とを有するプリント装置である。
【００１２】
本発明にかかるプリントシステムにおいては、マルチ画面印刷を実施した場合に映像の縦の方向が統一される様に印刷される。
【発明の効果】
【００１３】
本発明にかかるプリントシステムにおいては、マルチ画面印刷を実施した場合に映像の縦の方向が統一される様に印刷される。
【発明を実施するための最良の形態】
【００１４】
本発明の請求項１に記載の発明は、映像情報と前記映像情報の回転に関する回転情報とが格納されたメモリーを読み取る読み取り手段と、前記メモリーから回転情報を読出して解析する解析手段と、前記映像情報を同じ印刷面に印刷するマルチプリント手段と、前記同じ印刷面に印刷すべき前記映像情報数を指定する枚数指定手段と、前記解析手段が解析した回転情報、および前記指定された映像情報数に従って、複数の映像情報を同じ印刷面にマルチプリントする制御手段とを有するプリント装置であり、マルチ画面印刷を実施した場合に映像の縦の方向が統一される様に印刷され、焼き増し印刷を実施する際に、印刷後の仕分け作業を楽に実現できる。
【００１５】
（実施の形態１）
図１は、本発明にかかるデジタルカメラのブロック図である。図１において、１は対物レンズ、２はＣＣＤ（電荷結合素子）、３はＡ／Ｄ変換器、４は映像圧縮手段、５はメモリカードに対して圧縮された映像をファイル名で一意に特定できるファイルの形で書き込む映像書き込み手段、スイッチS1はシャッタであり、撮影手段１００を構成する。
【００１６】
９はファイル名を指定して映像ファイルを読み出す映像読み出し手段、１０は映像伸長手段、１１はＤ／Ａ変換器、S2は再生スイッチ、１２は液晶、１３は表示送りキー、１４は表示回転キー、１５は液晶に表示中の映像に関する情報を取得する映像情報取得手段、１７は注文者指定キー、１８は印刷指定キーであり、映像選択手段１０１を構成する。
【００１７】
１６は印刷管理情報を生成し、メモリカードに印刷管理情報ファイルを作成する印刷管理情報格納手段１０２を構成する。
【００１８】
１０３はフラッシュメモリカードで、デジタルカメラから取り外し可能でかつ、不揮発性のメモリである。このフラッシュメモリカードは取り外し可能な不揮発性記憶手段を構成する。フラシュメモリカードの内部には、映像ファイル７および印刷管理情報ファイル８がDOSフォーマットの形式で記憶される。
【００１９】
図２は、本発明にかかるプリント装置のブロック図である。５１はメモリカード１０３上の印刷管理情報ファイル８を取得する印刷管理情報取得手段である。５２は映像の回転角度毎に印刷すべき映像を回転角度毎にグループ分けし、異なる回転角度の映像ができるだけ混在しないように印刷順序を調整する印刷順序調整手段である。５３は２画面マルチプリント手段５６に対して指定された印刷順序と枠線の色で印刷を実施する様に制御を行なう印刷制御手段である。また、印刷制御手段は、全ての映像の印刷が終了した後、注文者一覧構成手段５５の指示に従って注文者一覧を印刷する。５４は、注文者毎に枠線の色が変わる様に印刷制御手段に対して指示を行なう枠指定手段である。５５は、注文者を示す映像情報を枠指定手段が使用した色の枠線を使って印刷するように指示する注文者一覧構成手段である。
【００２０】
以下、動作を説明する。いま、シャッタボタンS1が押されたとする。すると、ＣＣＤ２から取り込まれた映像信号はＡ／Ｄ変換器３、映像圧縮手段４、映像書き込み手段５によって、メモリカードの中で一意に特定できるファイルとしてフラッシュメモリカード１０３に書き込まれる。いま、６回の撮影によって６個のファイル"A.JPG","B.JPB","C.JPG","D.JPG""M.JPG","N.JPG"がフラッシュメモリカード内部に蓄えられているものとする。このうち、"M.JPG","N.JPG"はそれぞれユーザＭ氏とＮ氏自身を撮影した映像であるとする。
【００２１】
ユーザは、再生スイッチS2をオンすることにより、撮影した映像を液晶で見ることができる。すなわち、映像読み出し手段９が１個のファイルを読み出し、映像伸長手段１０、Ｄ／Ａ変換器１１を経て液晶に映像が表示される。またユーザが表示送りキー１３を押すと、映像読み出し手段は現在表示中の映像とは別のファイルを読み出し、表示を開始する。
【００２２】
さらに、ユーザは表示中にカメラを縦に構えて撮影した映像が図３(a)の様に表示された場合、表示回転キー１４を押すと、映像読み出し手段９は表示中の映像と同じ映像を再び呼び出し、かつ回転スイッチS3を回転手段６側にスイッチする。すると、伸長された映像は、回転キー１４によって右に９０度回転して液晶１２に縦に表示され、図３(b)の様に表示される。次の送りキーが押されると表示回転スイッチS3は反対側に戻る。
【００２３】
ユーザＭ氏が印刷すべき映像を登録するにはまず、Ｍ氏が撮影されている映像を表示送りキー１３を使って表示し、かつ注文者指定キー１７を押す。すると、映像情報取得手段１５は映像読み出し手段９から、表示中の映像のファイル名を取得する。印刷管理情報格納手段１０２は"ORDER "という文字列をファイル名の前に付けて、印刷管理情報ファイル"PRINT"の１行目としてフラッシュメモリカード１０３に記憶する。
【００２４】
次にＭ氏は表示送りキー１３を使って、印刷したい映像としてまず"A.JPG"を表示されたとする。この時、印刷指定キー１８を押すと映像情報取得手段１５は映像読み出し手段９から、表示中の映像ファイル名および回転キーの状態を取得する。回転キーを使っていなければ、印刷管理情報格納手段１０２は"A.JPG 0"という文字列を印刷管理情報ファイル"PRINT"の２行目としてフラッシュメモリカード１０３に記憶する。最後の"0"は回転キーの状態を示す。回転キーが押されていれば、"90"を設定する。その後同様に、"B.JPG"を回転させた後印刷指定キー１８を押し、"C.JPG"を表示後印刷指定キー１８を押し、"D.JPG"を表示、回転後、印刷指定キー１８を押した場合、図４の５行目迄が作成される。
【００２５】
次に同様にＮ氏が印刷すべき映像を選択して図４の６〜８行目までの印刷管理情報ファイルが作成される。
【００２６】
ユーザは選択した映像を印刷するためにプリント装置３００にフラッシュメモリカードを装着する。すると印刷管理情報取得手段５１が"PRINT"なるファイルを探し、そのファイルの内容を印刷順序調整手段５２、枠指定手段５４、注文者一覧構成手段５５に通知する。印刷順序調整手段５２は回転角度が同じ映像をグループ分けし、できるだけ異なるグループの映像が１枚の紙に混在しないように印刷順序を調整する。この結果、図６の印刷順序を決定する。
【００２７】
枠指定手段５４は、印刷管理情報ファイル"PRINT"の内容を受けとると、注文者毎に印刷枠の色を指定する。５枚目で注文者が変わるので枠の色をグレーから青に変える様に印刷制御手段に指定する。また、最初の注文者用にグレーの枠を使い、次の注文者用に青の枠を使った旨を注文者一覧構成手段５５に通知する。
【００２８】
注文者一覧構成手段５５は、印刷管理情報ファイル"PRINT"の"ORDER"で始まる行の映像ファイル名を抜き出し、その映像ファイルを枠指定手段５４から受けとった枠の色を使って印刷する様に印刷制御手段５３に指定する。
【００２９】
印刷制御手段５３は、まず、印刷順序調整手段５２から受けた指示を最初に実施する。
【００３０】
これにより、２画面マルチプリント手段５６は図７(a)、(b)、(c)の様に３枚の印刷を実施する。次に、注文者一覧構成手段５５からの指定により、図７(d)の様に１枚の印刷を実施する。
【００３１】
なお、回転角度は０度および９０度のみ選択可能としたが、任意の角度を選択可能としても良い。また、９０度と２７０度の映像はどちらかを１８０度回転させて印刷されることによって同一の紙に印刷可能である。
【００３２】
なお、本実施形態では印刷枠の色を変えて、注文者を識別するとしたが、印刷枠線の太さや形を変えてもよい。また、特定の形のマーク（例えば、赤い正方形、青い正方形）を識別方法として用いても良い。また、特定のマークを紙の裏面に印刷しても良い。
【００３３】
なお、本実施形態では、回転角度はユーザの操作により確認できるものとしたが、姿勢検出手段によって自動的に回転角度を得ても良い。
【００３４】
なお、本実施形態では注文者に関する情報は仕分け作業を楽にする様な目的で使ったが、焼き増し料金を計算して印刷または表示を行なっても良い。
【００３５】
なお、本実施形態では、注文者を象徴する映像を選択するものとしたが、注文者を識別する文字列を入力し、印刷管理情報に含めても良い。そして、その文字列をプリントしても良い。
【００３６】
これにより、プリント装置にメモリカードを差し込んだ後、デジタルカメラ無しでも自動的に映像のプリントが可能になる。
【００３７】
また、異なった回転角度の映像を様々な順番で印刷しても映像の縦の方向が統一される様に印刷することが容易にできる様になる。
【００３８】
また、焼き増し印刷を実施する際に、注文者毎に区別された印刷枠またはマーク、および注文者の一覧印刷により印刷後の仕分け作業を楽に実現できる。
【００３９】
（実施の形態２）
図８および図９はデジタルカメラを利用した表示システムの構成図を示す。プリントシステムと同様に、ユーザがデジタルカメラ上で選択した映像のファイル名をメモリカード上に表示管理情報ファイルとして作成する。図９の表示装置の表示制御手段は、メモリカードから表示すべき映像のファイル名を表示管理情報により得て、順番に表示手段２１２に対して表示を行なう。
【００４０】
この時表示管理ファイルの名前を"DISPLAY"等に決めておく。これにより、表示装置にメモリカードを差し込んだ後、デジタルカメラ無しでも自動的に映像を切替えながら表示を行なうことができる。
【００４１】
（実施の形態３）
図１０および図１１はデジタルカメラを利用した表示システムの構成図を示す。プリントシステムと同様に、ユーザがデジタルカメラ上で選択した映像のファイル名をメモリカード上に通信管理情報ファイルとして作成する。図１１の通信装置の通信制御手段は、メモリカードから送信すべき映像のファイル名を通信管理情報ファイルより得て、順番に通信手段３１２に対して送信を指示する。
【００４２】
この時表示管理ファイルの名前を"SEND"等に決めておく。これにより、携帯電話やモデム等の通信装置にメモリカードを差し込んだ後、デジタルカメラが無しでも自動的に映像の送信を行なうことができる。
【図面の簡単な説明】
【００４３】
【図１】本発明にかかるデジタルカメラプリントシステムを構成するデジタルカメラのブロック図
【図２】本発明にかかるデジタルカメラプリントシステムを構成するプリント装置のブロック図
【図３】本発明にかかる表示選択手段の回転キーの動作説明図
【図４】本発明にかかる印刷管理情報ファイルの内容を示す図
【図５】本発明にかかる印刷順序調整手段５２の動作のフローチャート
【図６】本発明にかかる印刷順序調整手段５２が印刷制御手段５３に対する指示内容を示す図
【図７】本発明にかかる実施の形態におけるプリント装置の出力結果を示す図
【図８】本発明にかかる実施の形態における表示システムを構成するデジタルカメラのブロック図
【図９】本発明にかかる実施の形態における表示システムを構成する表示装置のブロック図
【図１０】本発明にかかる実施の形態における通信システムを構成するデジタルカメラのブロック図
【図１１】本発明にかかる実施の形態における通信システムを構成する通信装置のブロック図
【図１２】従来のデジタルカメラを利用したプリントシステムの構成図
【図１３】従来のデジタルカメラを利用した表示システムの構成図
【図１４】従来のデジタルカメラを利用した通信システムの構成図
【符号の説明】
【００４４】
１    対物レンズ
２    ＣＣＤ（電荷結合素子）
３    Ａ／Ｄ変換器
４    映像圧縮手段
５    映像書き込み手段
６    回転手段
７    映像ファイル
８    印刷管理情報ファイル
９    映像読み出し手段
１０    映像伸長手段
１１    Ｄ／Ａ変換器
１２    液晶
１３    表示送りキー
１４    回転キー
１５    映像情報取得手段
１７    注文者指定キー
１８    印刷指定キー
５１    印刷管理情報取得手段
５２    印刷順序調整手段
５３    印刷制御手段
５４    枠指定手段
５５    注文者一覧構成手段
５６    ２画面マルチプリント手段
６０    マルチプリント手段
１００    撮影手段
１０１    映像選択手段
１０２    印刷管理情報格納手段
１０３    フラッシュメモリカード
２００    表示管理情報ファイル
２０１    表示管理情報格納手段
２０２    表示映像選択手段
２１０    表示管理情報取得手段
２１１    表示制御手段
２１２    表示手段
３００    通信管理情報ファイル
３０１    通信管理情報格納手段
３０２    送信映像選択手段
３１０    通信管理情報取得手段
３１１    通信制御手段
３１２    通信手段
【図１】
2004350301.tif 000003
【図２】
2004350301.tif 000004
【図３】
2004350301.tif 000005
【図４】
2004350301.tif 000006
【図５】
2004350301.tif 000007
【図６】
2004350301.tif 000008
【図７】
2004350301.tif 000009
【図８】
2004350301.tif 000010
【図９】
2004350301.tif 000011
【図１０】
2004350301.tif 000012
【図１１】
2004350301.tif 000013
【図１２】
2004350301.tif 000014
【図１３】
2004350301.tif 000015
【図１４】
2004350301.tif 000016